(57)【要約】【課題】冷蔵庫本体の高さを低くおさえて省スペースでの設置ができ、さらに防音構造になる冷蔵庫のドア開閉装置を提供する。【解決手段】ドア開閉装置の駆動部１０を、押し出されるアーム本体部１３と、アーム本体部１３と一体になったアーム先端部１４から構成することにより、冷蔵庫本体８の高さを低くおさえて省スペースでの設置ができ、カバー２１とケース１７に防音シート２４，クッション材２３，防音材２５を取り付けたことにより、防音構造になるものである。【選択図】図３
2006064242.tif 000002
【特許請求の範囲】
【請求項１】
冷蔵庫本体と、この本体の前面に回転自在に取り付けられたドアと、このドアを開放するための駆動部と、前記本体の天面部に凹部と、前記駆動部は、駆動メカ本体部と、この本体部から押し出されるアーム本体部と、アーム本体と一体になったアーム先端部からなり、アーム本体部よりアーム先端部の大きさが小さく、アーム本体部の可動範囲で冷蔵庫本体と接触がないように凹部のアーム本体の可動側に凹部空間を持たせたことを特徴とする冷蔵庫のドア開閉装置。
【請求項２】
前記アーム本体部とアーム先端部は、中心をずらすことを特徴とする請求項１の冷蔵庫のドア開閉装置。
【請求項３】
冷蔵庫本体の天面部の凹部はシェル面の穴と、ケースを取り付けることにより形成され、前記ケースに駆動部を取り付ける時の固定形状と、前記ケースとシェル面の穴において、位置が決まるようケースの外周部にフランジ部を設け、このフランジ部にアーム先端部の逃がし形状Ａを設けたことを特徴とした請求項１の冷蔵庫のドア開閉装置。
【請求項４】
前記凹部に取り付けられた駆動部を覆うようにカバーを取り付け、このカバーの外周の一部にアーム先端部の逃がし形状Ｂを設けたことを特徴とする請求項３の冷蔵庫のドア開閉装置。
【請求項５】
前記凹部に取り付けられた駆動部の取り付け面にクッション性のあるクッション材を入れ、前記カバーに防音性のある防音シートを取り付けたことを特徴とする請求項４の冷蔵庫のドア開閉装置。
【請求項６】
前記ケースの底部に重りとなる防音材を取り付けたことを特徴とする請求項３の冷蔵庫のドア開閉装置。
【請求項７】
前記凹部の一部から駆動部を電気的につなぐリード線と、リード線のジョイント部と、駆動部には駆動部のジョイント部を設け、凹部空間にて結線をすることを特徴とする請求項１の冷蔵庫のドア開閉装置。
【発明の詳細な説明】
【技術分野】
【０００１】
本発明は、冷蔵庫のドア開閉装置に関するものである。
【背景技術】
【０００２】
従来、冷蔵庫の扉を駆動装置と押し出し棒を用いて開放するものがある。（例えば、特許文献１参照）
図６、７は、特許文献１に記載された従来の冷蔵庫のドア開閉装置を示すものである。
【０００３】
上記構成において、動作を説明する。冷蔵庫本体１と、この本体の前面に回転自在に取り付けられたドア２と、このドアを開放するための駆動部３からなり、この駆動部は、本体の天面部の凹部４に取り付けられ、押し出し棒５によりドアを開放し、凹部は、ケース６を取り付けることにより形成され、前記ケースと駆動部を覆うようにカバー７で構成される。
【特許文献１】特開２００１−５６１７６号公報
【発明の開示】
【発明が解決しようとする課題】
【０００４】
しかしながら、上記従来の構成では、冷蔵庫天面部の凹部に駆動部を設置し、冷蔵庫の高さが高くならないようにしているが、駆動部の形状に制約があり、さらに省スペースの設置を必要とするところでは、冷蔵庫の高さを抑えられないという課題を有していた。
【０００５】
本発明は、上記従来の課題を解決するもので、冷蔵庫天面部の凹部に駆動部を設置しても冷蔵庫の高さを高くしないで、さらに省スペースで設置できる冷蔵庫を提供することを目的とする。
【課題を解決するための手段】
【０００６】
上記従来の課題を解決するために、本発明の冷蔵庫の開閉装置は、冷蔵庫本体と、この本体の前面に回転自在に取り付けられたドアと、このドアを開放するための駆動部と、前記本体の天面部に凹部と、前記駆動部は、駆動メカ本体部と、この本体部から、押し出されるアーム本体部と、アーム本体部と一体になったアーム先端部からなり、アーム本体部よりアーム先端部の大きさが小さく、アーム本体部の可動範囲で冷蔵庫本体と接触がないように凹部のアーム本体部の可動側に凹部空間を持たせたことを特徴とするものである。
【０００７】
これによって、冷蔵庫天面部の凹部に駆動部があり、駆動部の形状に制約があっても、さらに冷蔵庫の高さを低くおさえて省スペースでの設置ができる。
【発明の効果】
【０００８】
本発明の冷蔵庫の開閉装置は、駆動部が駆動メカ本体部と、この本体部から、押し出されるアーム本体部と、アーム本体部と一体になったアーム先端部からなり、アーム本体部よりアーム先端部の大きさが小さいことにより、駆動部の形状に制約があっても、さらに冷蔵庫の高さを低くおさえて省スペースでの設置ができる。
【発明を実施するための最良の形態】
【０００９】
請求項１に記載の発明は、冷蔵庫本体と、この本体の前面に回転自在に取り付けられたドアと、このドアを開放するための駆動部と、前記本体の天面部に凹部と、前記駆動部は、駆動メカ本体部と、この本体部から、押し出されるアーム本体部と、アーム本体部と一体になったアーム先端部からなり、アーム本体部よりアーム先端部の大きさが小さく、アーム本体部の可動範囲で冷蔵庫本体と接触がないように凹部のアーム本体部の可動側に凹部空間を持たせたことにより、駆動部の形状に制約があっても、さらに冷蔵庫の高さを低くおさえて省スペースでの設置ができる。
【００１０】
請求項２に記載の発明は、請求項１に記載の発明において、前記アーム本体部とアーム先端部は、中心をずらすことを特徴とすることにより、さらに冷蔵庫の高さを低くおさえて省スペースでの設置ができる。
【００１１】
請求項３に記載の発明は、請求項１に記載の発明において、冷蔵庫本体の天面部の凹部はシェル面の穴と、ケースを取り付けることにより形成され、前記ケースに駆動部を取り付ける時の固定形状と、前記ケースとシェル面の穴において、位置が決まるようケースの外周部にフランジ部を設け、このフランジ部にアーム先端部の逃がし形状Ａを設けたことを特徴とすることにより、ケースとシェル面の穴も位置決めをしながら、コンパクトにケース内に駆動部を取り付けることができる。
【００１２】
請求項４に記載の発明は、請求項３に記載の発明において、前記凹部に取り付けられた駆動部を覆うようにカバーを取り付け、このカバーの外周の一部にアーム先端部の逃がし形状Ｂを設けたことにより、カバーをつけた状態であってもコンパクトにケース内に駆動部を取り付けることができる。
【００１３】
請求項５に記載の発明は、請求項４に記載の発明において、前記凹部に取り付けられた駆動部の取り付け面にクッション性のあるクッション材を入れ、前記カバーに防音性のある防音シートを取り付けたことにより、カバーをつけた状態であってもコンパクトにケース内に駆動部を収納しながら駆動部からの防音を図ることができる。
【００１４】
請求項６に記載の発明は、請求項３に記載の発明において、前記ケースの底部に重りとなる防音材を取り付けたことにより、駆動部の入るスペースを阻害することなく、駆動部からの防音を図ることができる。
【００１５】
請求項７に記載の発明は、請求項１に記載の発明において、前記凹部の一部から駆動部を電気的につなぐリード線と、リード線のジョイント部と、駆動部には駆動部のジョイント部を設け、凹部空間にて結線をすることを特徴とすることにより、冷蔵庫天面部の凹部に駆動部を収納したとき、結線を含んでコンパクトに設置ができるものである。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫の全体図である。図２は本発明の実施の形態１における冷蔵庫の天面図と駆動部取り付け部の正面図である。図３は本発明の実施の形態１における駆動部取り付けの断面図である。図４は本発明の実施の形態１における駆動部をはずした状態の断面図である。図５は本発明の実施の形態１における駆動部である。
【００１８】
図１、２、３において、８は冷蔵庫本体であり、この本体の前面に回転自在に取り付けられたドア９と、このドアを開放するための駆動部１０と、前記本体の天面部に凹部１１と、前記駆動部１０は、駆動メカ本体部１２と、押し出されるアーム本体部１３と、アーム本体部１３と一体になったアーム先端部１４からなり、アーム本体部１３の可動範囲で冷蔵庫本体と接触がないように、アーム本体部１３とアーム先端部１４は、中心をずらせて、凹部１１のアーム本体部１３の可動側に凹部空間１５を持たせている。凹部１１はシェル面の穴１６と、ケース１７を取り付けることにより形成されている。
【００１９】
図４、５において、ケース１７に駆動部１０を取り付ける時の固定形状１８と、ケース１７とシェル面の穴１６において、位置が決まるようケース１７の外周部にフランジ部１９を設け、このフランジ部にアーム先端部１４の逃がし形状Ａ２０を設けている。また、駆動部１０を覆うようにカバー２１を取り付け、このカバー２１の外周の一部にアーム先端部１４の逃がし形状Ｂ２２を設けている。駆動部１０の取り付け面にクッション性のあるクッション材２３を入れ、前記カバー２１に防音性のある防音シート２５を取り付け、ケース１７の底部に重りとなる防音材２５を取り付けている。また駆動部１０を電気的につなぐリード線２６と、リード線のジョイント部２７と、駆動部１０には駆動部のジョイント部２８を設け、凹部空間１５にて結線をする。
【００２０】
以上のように構成された冷蔵庫のドア開閉装置について、以下その動作、作用を説明する。
【００２１】
まず、冷蔵庫本体８の前面に回転自在に取り付けられたドア９は、天面部に凹部１１に取り付けられた駆動メカ本体部１２内のモーターが、駆動することにより、アーム本体部１３が、ドア９側に可動し、アーム本体部１３と一体になったアーム先端部１４によりドア９を開ける方向で、押してドア９を開ける。アーム本体部１３は凹部空間１５を可動するのでアーム本体部１３の大きさよりアーム先端部１４の大きさを小さくすることにより、駆動部１０のアーム本体部１３形状が大きいという制約があっても、アーム先端部１４は小さいので駆動部１０を冷蔵庫天面の凹部１１においても、さらに冷蔵庫の高さを低くおさえて省スペースでの設置ができる。
【００２２】
また、アーム本体部１３とアーム先端部１４は、中心をずらしアーム本体の中心より上にアーム先端部１４を形成することにより、さらに冷蔵庫天面の凹部１１に深く設置することができ、さらに冷蔵庫の高さを低くおさえて省スペースでの設置ができる。
【００２３】
また、凹部１１を形成するためのケース１７とシェル面の穴１６において、ケース１７位置が決まるようケース１７の外周部にフランジ部１９を設け、このフランジ部１９にアーム先端部１４の逃がし形状Ａ２０を設けたことにより、ケース１７とシェル面の穴１６も位置決めをしながら、コンパクトにケース１７内に駆動部を取り付けることができる。
【００２４】
また、駆動部１０を覆うカバー２１の外周の一部にアーム先端部１４の逃がし形状Ｂ２２を設けたことにより、カバー２１をつけた状態であってもコンパクトにケース１７内に駆動部１０を取り付けることができる。
【００２５】
また、駆動部１０からの音を低減するために、凹部１１に取り付けられた駆動部１０の取り付け面にクッション性のあるクッション材２３を入れ、カバー２１に防音性のある防音シート２５を取り付けたことにより、カバー２１とケース１７の効果的な位置に部品単品で防音シート２５・クッション材２３を取り付けることができ、ばらばらで組み立てるより効率よく作業でき、コンパクトにケース１７内に駆動部１０を収納しながら駆動部１０からの防音を図ることができる。
【００２６】
また、ケース１７の底部に重りとなる防音材２５を取り付けたことにより、駆動部１０の入るスペースを阻害することなくコンパクトにケース１７内に駆動部１０を収納しながら駆動部１０からの防音を図ることができる。
【００２７】
また、駆動部１０を起動させるため電気的な配線必要となるが、凹部１１の一部からリード線のジョイント部２７を出し、駆動部のジョイント部２８を、凹部空間１５でアーム本体部１３が可動する部分を避けて結線をすることにより、冷蔵庫天面部の凹部１１に駆動部１０を収納したとき、結線を含んでコンパクトに設置ができるものである。
【産業上の利用可能性】
【００２８】
以上のように、本発明にかかる冷蔵庫は、駆動部を、押し出されるアーム本体部と、アーム本体と一体になったアーム先端部から構成することにより、冷蔵庫の高さを低くおさえて省スペースでの設置ができ、カバーとケースに防音シート・クッション材・防音材を取り付けたことにより、防音構造になるので、温蔵庫のドア開閉装置等の用途にも適用できる。
【図面の簡単な説明】
【００２９】
【図１】本発明の実施の形態１における冷蔵庫の全体図
【図２】本発明の実施の形態１における冷蔵庫の天面図と駆動部取り付け部の正面図
【図３】本発明の実施の形態１における駆動部取り付けの断面図
【図４】本発明の実施の形態１における駆動部をはずした状態の断面図
【図５】本発明の実施の形態１における駆動部を示す図
【図６】従来の冷蔵庫の全体図
【図７】従来の駆動部取り付けの断面図
【符号の説明】
【００３０】
８    冷蔵庫本体
９    ドア
１０    駆動部
１１    凹部
１２    駆動メカ本体部
１３    アーム本体部
１４    アーム先端部
１５    凹部空間
１６    シェルの穴
１７    ケース
１８    固定形状
１９    フランジ
２０    逃がし形状Ａ
２１    カバー
２２    逃がし形状Ｂ
２３    クッション部材
２４    防音シート
２５    防音部材
２６    リード線
２７    リード線のジョイント部
【図１】
2006064242.tif 000003
【図２】
2006064242.tif 000004
【図３】
2006064242.tif 000005
【図４】
2006064242.tif 000006
【図５】
2006064242.tif 000007
【図６】
2006064242.tif 000008
【図７】
2006064242.tif 000009